(57)【要約】      【課題】  使用者が自身の片手操作でローラを体の部位に転動させて、広範囲の部位を効率よく刺激することができるようにする。揉み操作をも行えるようにする。      【解決手段】  マッサージ器１のホルダ２を、可撓性の板状体を円弧状に湾曲させて形成する。ホルダ２の両側端にメインローラ３，３を並設する。ホルダ２の中間部内側にサブローラ４をメインローラ３，３と平行に配設する。ホルダ２の中間部外側にグリップ２ａを突設する。ホルダ２を、グリップ２ａからの押圧力が小さいときには原形を保持し、グリップ２ａからの押圧力が大きいときには外側へ撓むようにする。メインローラ３は、回転可能に支持される円筒体３ａと、円筒体３の外周面に接線方向に設けられる複数枚の叩打板３ｂとを備えるものとする。叩打板３ｂは、一端側から他端側へ向けて漸次幅広となり、かつ一端側から他端側へ向けて円筒体３ａの中心軸から遠ざかるように傾斜させる。      【選択図】  図１
2008278919.tif 000002
【特許請求の範囲】
【請求項１】
可撓性の板状体を円弧状に湾曲させたホルダの両側端に一対のメインローラを並設し、
前記ホルダの中間部内側にサブローラを前記メインローラと平行に配設するとともに、該ホルダの中間部外側にグリップを突設した
ことを特徴とするローラ式マッサージ器。
【請求項２】
前記ホルダは、前記グリップからの押圧力が小さいときには原形を保持し、前記グリップからの押圧力が大きいときには外側へ撓む
ことを特徴とする請求項１に記載のローラ式マッサージ器。
【請求項３】
前記メインローラは、前記ホルダに支軸を介して回転可能に支持される円筒体と、該円筒体の外周面に接線方向に設けられる複数枚の叩打板を備えている
ことを特徴とする請求項１または２に記載のローラ式マッサージ器。
【請求項４】
前記叩打板は、一端側から他端側へ向けて漸次幅広となり、かつ一端側から他端側へ向けて前記円筒体の中心軸から遠ざかるように傾斜している
ことを特徴とする請求項３に記載のローラ式マッサージ器。 
【発明の詳細な説明】
【技術分野】
【０００１】
本発明は、転動ローラを身体の皮膚の上に転がして皮膚を刺激することにより、疲労回復や健康維持，美容等に用いられるローラ式マッサージ器に関する。
【背景技術】
【０００２】
疲労回復や健康維持，美容等に用いられるマッサージ器には、ローラ式や指圧式を始め，摩擦式やベルト式，空気圧式や流体圧式，低周波式、そしてこれらを複合した等の様々な種類がある。中でもローラ式や指圧式は、構造が簡単で壊れにくく且つランニングコストが安い割りに比較的大きな刺激が得られることから、多くの種類のものが提案されている。
【０００３】
例えば、前者のローラ式マッサージ器として、円筒状の基軸の両端に可撓性を備えた第１固定軸と第２固定軸とを延設し、該第１固定軸と第２固定軸にそれぞれ形状の異なる回転打撃部とローリング部を回転可能に装着し、前記回転打撃部に、中央に前記第１固定軸に嵌挿する貫通孔を備えたローラの表面に３枚の板状のプレートを一体に取り付け、該プレートは周囲に金属線を周回装着し、他方ローリング部をセラミックスによって形成し、中央に貫通孔を備えたローラからなり、前記第２固定軸に回動自在に嵌装され、前記回転打撃部及びローリング部のそれぞれを被覆するキャップ兼把持部を備えた技術が提案されている（特許文献１参照）。
【０００４】
また、後者の指圧式マッサージ器として、マッサージ器本体全面に弾発的に出力可能に隣接して複数のロッドが前記マッサージ器本体内底部に取り付けられるとともに、前記マッサージ器本体の両側部に一対の把手部を形成したものや（特許文献２参照）、あるいは、筒状ケースの端部にあけたソケット内に永久磁石を設け、一部が外部に露出するようにソケット内に嵌め込んだ磁性体よりなる球体を前記永久磁石で吸引保持したものが提案されている（特許文献３参照）。
【特許文献１】特開２００５−２４５８２６号公報
【特許文献２】特開平６−９８９１９号公報
【特許文献３】実開平６−４５７号公報
【発明の開示】
【発明が解決しようとする課題】
【０００５】
この種のマッサージ器においては、マッサージ器に対する押圧力とこれが作用する部位への刺激とが密接な関わりを持つが、特許文献１のものでは、力点であるキャップ兼把持部と作用部ある回転打撃部及びローリング部とが側部位置関係にあるため、キャップ兼把持部に働かせた押圧力が回転打撃部及びローリング部に作用しにくいという欠点があり、特に３枚のプレートからなる回転打撃部からはさほどの刺激は得られなかった。
また、特許文献２のマッサージ器では両手操作が必要であるため、使用者自身がマッサージに使用できるのは脚や足等の僅かな部位に限られたものとなる。さらに、特許文献３のマッサージ器では、球体からのスポット的な刺激しか得られないという欠点があった。
【０００６】
本発明は、かかる実情を背景なしてなされたもので、その目的とするところは、使用者が自身の簡単な片手操作でローラを体の部位に転動させて、広範囲な部位を効率よく刺激することができるようにし、さらに揉み操作をも行うことのできるローラ式マッサージ器を提供することにある。
【課題を解決するための手段】
【０００７】
本発明は、上記の目的を達成するために、可撓性の板状体を円弧状に湾曲させたホルダの両側端に一対のメインローラを並設し、前記ホルダの中間部内側にサブローラを前記メインローラと平行に配設するとともに、該ホルダの中間部外側にグリップを突設したことを特徴としている。
【０００８】
本発明のホルダは、グリップからの押圧力が小さいときには原形を保持し、またグリップからの押圧力が大きいときには外側へ撓むように設定することができる。さらに、本発明のメインローラは、ホルダに支軸を介して回転可能に支持される円筒体と、該円筒体の外周面に接線方向に設けられる複数枚の叩打板を備える構成することができ、またこの叩打板を、一端側から他端側へ向けて漸次幅広となり、かつ一端側から他端側へ向けて前記円筒体の中心軸から遠ざかるように傾斜させてもよい。
【０００９】
本発明のマッサージ器は、ホルダの中間部外側に設けたグリップを握って押圧力をかけることにより、一対のメインローラまたは一対のメインローラとサブローラとを身体の所望の部位の皮膚に転がしてマッサージする。特に、一対のメインローラでは外周面に配設した複数の叩打板が所望の部位の皮膚を完結的に強く叩くので、より大きな刺激が得られる。
また、身体の平面的な部位やホルダの曲率よりも大きな湾曲部位では、グリップ両端の一対のメインローラのみが転動して皮膚を刺激し、身体のホルダの曲率よりも小さな湾曲部位では一対のメインローラとサブローラとが転動して皮膚を刺激する。
【００１０】
さらに本発明は、ホルダを可撓性の板状体を円弧状に湾曲させて形成したことにより、グリップからの押圧力が小さいときには原形を保持し、またグリップからの押圧力が大きいときには外側へ撓ませることができる。したがって、グリップへの押圧力に強弱をつけることによって、ホルダの湾曲形状を拡縮させて身体の部位を一対のメインローラで挟んだりこれをゆるめたりの揉み操作が行える。
【００１１】
また、メインローラを、ホルダに支軸を介して回転可能に支持される円筒体と、この円筒体の外周面に接線方向に設けられる複数枚の叩打板を備える構成することにより、複数枚の叩打板が身体の部位を叩くように回転するのでより大きな刺激が得られる。
さらにこの叩打板を、一端側から他端側へ向けて漸次幅広となり、かつ一端側から他端側へ向けて前記円筒体の中心軸から遠ざかるように傾斜させることにより、叩打板の他端側から身体の部位に作用する刺激が叩打板の一端側よりも大きなものとなり、メインローラの転動マッサージはもとより、グリップへの押圧力に強弱をつける揉み操作では、叩打板の他端側で一端側よりも大きな揉み力が得られる。
【発明の効果】
【００１２】
本発明のマッサージ器によれば、ホルダの中間部外側に設けたグリップを片手で握って押圧力をかけることにより、その押圧力がホルダの両側端に設けた一対のメインローラへ均等に作用して身体の部位を刺激するもので、押圧力を身体の部位へのマッサージ力として極力ロスさせることなく作用させることができる。また、ホルダを湾曲形状としたことにより、本発明のマッサージ器をあてる部位によって、一対のメインローラもしくは一対のメインローラとサブローラとの３つを転動させて異なる刺激を得ることができる。
【００１３】
さらに本発明は、グリップへの押圧力を小さく抑えることによりホルダを原形に保持させて、上記した一対のメインローラかもしくは一対のメインローラとサブローラとの３つを転動させたマッサージをおこない、またグリップからの押圧力に強弱をつけてホルダを間欠的に外側へ撓ませることにより、身体の部位を一対のメインローラで挟んだりこれをゆるめたりの揉み操作も行うことができる。
【発明を実施するための最良の形態】
【００１４】
以下、本発明の一実施例を図面に基づいて説明する。
図中、図１はマッサージ器を下方向から見た斜視図、図２はマッサージ器を上方向から見た斜視図、図３はマッサージ器の正面図、図４はマッサージ器の底面図、図５はマッサージ器の左側面図、図６はマッサージ器の右側面図、図７はマッサージ器の一使用例を示す左側面図、図８はマッサージ器の他の使用例を示す左側面図である。
【００１５】
図１〜図６の基本図に示すマッサージ器１は、円弧状に湾曲したホルダ２の両側端に一対のメインローラ３，３を並設し、ホルダ２の中間部内側にサブローラ４をメインローラ３，３と平行に配設するとともに、ホルダ２の中間部外側にグリップ２ａを一体または嵌合により突設した形状となっている。
ホルダ２は、可撓性のある合成樹脂製の板状体を単体で前述のように円弧状に湾曲させるか、この可撓性合成樹脂の板状体の内部に補強用のステンレス板やばね板を埋め込んだものが用いられ、マッサージ器１の使用時にグリップ２ａからの押圧力が小さいときには原形を保持し、またグリップ２ａからの押圧力が大きいときには外側へ撓むことができるようになっている。グリップ２ａはホルダ２と同質かこれよりもやや硬い合成樹脂によって掌を握ったときの内部空間と略同形に形成されており、グリップ２ａの上面には使用者がこのマッサージ器１を使用する際の心臓の方向を示す矢印５が表示されている。
【００１６】
ホルダ２の両側端には、外方に開口するローラ装着溝６，６と、各ローラ装着溝６の両端に突出する支持腕２ｂ，２ｂとが設けられ、またホルダ２の中間部内側には、ローラ装着凹部７と支軸孔７ａ，７ａとが設けられており、一対のメインローラ３，３はローラ装着溝６と支持腕２ｂ，２ｂとを用いて組み付けされ、またサブローラ４はローラ装着凹部７と支軸孔７ａ，７ａとを用いて組み付けされる。
【００１７】
メインローラ３，３のそれぞれは、ローラ装着溝６に回転可能に配設される円筒体３ａと、該円筒体３ａの両端から突出して支持腕２ｂ，２ｂに支持される支軸（図示しない）と、前記円筒体３ａの外周面に接線方向に設けられる複数枚の叩打板３ｂと、各叩打板３ｂの外周面に囲繞して設けられる金属線８とからなっている。サブローラ４は、ローラ装着凹部７に回転可能に配設される円筒体４ａをメインローラ３の円筒体３ａよりも小径に形成し、円筒体４ａの両端に突出する支軸４ｂ，４ｂを支軸孔７ａ，７ａに嵌合することにより、円筒体４ａの一部がホルダ２の内側面よりも外側に突出配置される。
【００１８】
メインローラ３の円筒体３ａは、前記矢印５の指し方向である一端側が小径で、矢印５の指し方向とは逆の他端側が大径のテーパ状に形成されている。このため、円筒体３ａの外周面に設けられる前記叩打板３ｂは、一端側から他端側へ向けて円筒体３ａの中心軸から遠ざかるように外側へ傾斜しており、さらに叩打板３ｂは、一端側から他端側へ向けて漸次幅広となる形状に形成されている。
【００１９】
図７，８は、上述のように構成されるマッサージ器１の使用例を示しており、使用にあたっては、心臓から遠い部位から始めて、徐々に心臓方向へ移動させることが心臓の負担や円滑な血流の妨げになりにくい。
【００２０】
まず図７では、マッサージ器１を使用者の下腕Ａｒ回りに使用する例を示しており、この使用例では、一対のメインローラ３，３を使用者の下腕Ａｒにあてながら、マッサージ器１を使用者の下腕Ａｒ回りに往復動させるとともに、グリップ２ａからの押圧力を強くすることにより、メインローラ３，３の複数の叩打板３ｂが使用者の下腕Ａｒを間欠的に叩いてマッサージを行い、同時にホルダ２が外側へ撓んでその内側面に位置するサブローラ４も使用者の下腕Ａｒに接触してマッサージする。
【００２１】
また、マッサージ器１を使用者の下腕Ａｒ回りに往復動させずに、グリップ２ａからの押圧力に強弱をつけることにより、ホルダ２を間欠的に外側へ撓ませて使用者の下腕Ａｒを一対のメインローラ３，３で挟んだりゆるめたりの揉み操作を行うと同時に、ホルダ２が外側へ撓んだ際にはサブローラ４も使用者の下腕Ａｒに接触してマッサージする。
この揉み操作の変形例として、ホルダ２を強い押圧力で外側へ撓ませて双方のメインローラ３，３で皮膚をつかみ上げながら、マッサージ器１を側方へ移動させることもできる。この場合には、メインローラ３，３の叩打板３ｂが皮膚のつかみ位置を変えながら叩打するもので、ホルダ２の湾曲形状から、頸部や肩等の部位を揉みほぐすのに適している。
【００２２】
さらに、図７に示すマッサージ器１の使用時には、グリップ２ａの矢印５は心臓方向に向けられていて、メインローラ３，３の叩打板３ｂの一端側が心臓側に、該叩打板３ｂの他端側が心臓とは反対側にそれぞれ配置されることが好ましい。前述のごとく叩打板３ｂは、他端側が一端側よりも幅広で、かつ他端側が円筒体３ａの中心軸から遠ざかるように外側へ傾斜しているため、叩打板３ｂから下腕Ａｒに作用する叩打力を心臓側（叩打板３ｂの一端側）で弱く作用させ、心臓とは反対側（叩打板３ｂの他端側）で強く作用させることにより、極力心臓の負担や血流の妨げにならないようにする。
【００２３】
図８は、マッサージ器１を使用者の下腕Ａｒの長手方向に使用する例を示しており、グリップ２ａからホルダ２へ作用する押圧力は弱く、このためホルダ２は外側へ撓まずに略原形状態にあり、メインローラ３，３の複数の叩打板３ｂのみが使用者の下腕Ａｒを間欠的に叩いてマッサージを行う。
【図面の簡単な説明】
【００２４】
【図１】本発明の一実施例を示すマッサージ器を下方向から見た斜視図である。
【図２】本発明の一実施例を示すマッサージ器を上方向から見た斜視図である。
【図３】本発明の一実施例を示すマッサージ器の正面図である。
【図４】本発明の一実施例を示すマッサージ器の底面図である。
【図５】本発明の一実施例を示すマッサージ器の左側面図である。
【図６】本発明の一実施例を示すマッサージ器の右側面図である。
【図７】本発明の一実施例を示すマッサージ器の一使用例を示す左側面図である。
【図８】本発明の一実施例を示すマッサージ器の他の使用例を示す左側面図である。
【符号の説明】
【００２５】
１…マッサージ器
２…ホルダ
２ａ…グリップ
２ｂ…支持腕
３…メインローラ
３ａ…円筒体
３ｂ…叩打板
４…サブローラ
４ａ…円筒体
４ｂ…支軸
５…矢印
６…ローラ装着溝
７…ローラ装着凹部
７ａ…支軸孔
Ａｒ…使用者の下腕 
【図１】
2008278919.tif 000003
【図２】
2008278919.tif 000004
【図３】
2008278919.tif 000005
【図４】
2008278919.tif 000006
【図５】
2008278919.tif 000007
【図６】
2008278919.tif 000008
【図７】
2008278919.tif 000009
【図８】
2008278919.tif 000010